(57)【要約】【課題】本発明はアクセサリー展示収納ボックスを開示した。【解決手段】外主体を含み、前記外主体の中には収納チャンバが設置され、前記収納チャンバの中には内主体がスライドできるように設置され、前記外主体の中には縦方向に八組、円周方向に十六組の展示チャンバが設置され、前記内主体の中には縦方向に八組、円周方向に四組の前記展示チャンバが設置され、本発明は構成が簡単で、操作が便利で、当該設備は所要のスペースが小さく、収納できるアクセサリーの数が多く、空間の利用率が高く、且つ収納機能と展示機能を有し、人でアクセサリーを一々取り出して収納する必要はなく、店員の労働強度を軽減し、商店の営業効率を向上させ、そのため、当該設備は高い使用価値と普及する価値を有する。【選択図】図１
2020175135.tif 000002
【特許請求の範囲】
【請求項１】
正面視で、外主体を含み、前記外主体の中には収納チャンバが設置され、前記収納チャンバの中には内主体がスライドできるように設置され、前記外主体の中には縦方向に八組、円周方向に十六組の展示チャンバが設置され、前記内主体の中には縦方向に八組、円周方向に四組の前記展示チャンバが設置され、今回はその中の一組の前記展示チャンバを例として詳しく説明し、前記展示チャンバの中には固定ベースが設置され、前記固定ベースの頂端には展示装置が設置され、前記固定ベースの中にはリミットチャンバが設置され、  前記リミットチャンバの中にはリミット装置が設置され、前記外主体の中には動力チャンバが設置され、前記動力チャンバの中には伝動装置が設置され、前記動力チャンバの中には収納装置が設置され、前記動力チャンバの中には駆動機構が設置され、前記駆動機構は主軸及びモータを含み、前記モータが前記動力チャンバの片側壁の中に固定的に設置され、前記主軸が前記動力チャンバの中に回転できるように設置され、前記主軸の一端が前記モータと動力が伝達できるように連結され、前記主軸のもう一端にはメインベベルギヤが固定的に設置され、前記駆動機構が前記伝動装置を連動させて回転させ、更に前記展示装置を連動させて回転させることを特徴とするアクセサリー展示収納ボックス。
【請求項２】
前記収納装置は前記動力チャンバの中に設置されているネジロッドを含み、前記ネジロッドが前記内主体と連結され、前記ネジロッドの底端にはサブプーリが固定的に設置され、前記動力チャンバの中には収納軸が回転できるように設置され、前記収納軸の底端にはメインプーリが固定的に設置され、前記メインプーリと前記サブプーリとの間には収納ベルトが設置され、前記収納軸の頂端には収納ベベルギヤが固定的に設置されていることを特徴とする請求項１に記載のアクセサリー展示収納ボックス。
【請求項３】
前記展示装置は前記固定ベースに設置されている展示ベースを含み、前記展示ベースには展示板が回転できるように設置され、前記展示ベースの中には反転チャンバが設置され、前記反転チャンバの中には前記展示板とヒンジにより連結されている展示スライダが設置され、前記展示スライダと前記反転チャンバとの間には第一ばねが弾性を持つように設置され、前記反転チャンバの中には展示軸が回転できるように設置され、前記展示軸にはメインリールが固定的に設置され、前記メインリールと前記展示スライダとが伝動縄により連結され、前記固定ベースの中には展示動力チャンバが設置され、前記展示動力チャンバの中には前記展示軸とスプラインにより連結されている展示中心軸が回転できるように設置され、前記展示中心軸の底端には展示サブベベルギヤが固定的に設置されていることを特徴とする請求項１に記載のアクセサリー展示収納ボックス。
【請求項４】
前記リミット装置は、前記リミットチャンバの中にスライドできるように設置され、且つ前記展示スライダのスライドを制限する引っ掛かりブロックを含み、前記引っ掛かりブロックと前記リミットチャンバとの間には第二ばねが弾性を持つように設置され、前記リミットチャンバの中にはリミット軸が設置され、前記リミット軸の後端にはリミットギヤが設置され、前記リミット軸の前端にはリミットサブベベルギヤが設置され、前記リミットチャンバの中には展示主軸が設置され、前記展示主軸の左端には前記リミットサブベベルギヤと噛み合っている左ベベルギヤが設置され、前記展示主軸の外壁には前記展示動力チャンバの中に位置している展示メインベベルギヤが設置され、前記展示動力チャンバの片側の壁の中には伝動チャンバが設置され、前記展示主軸の右端には前記伝動チャンバの中に位置している右ベベルギヤが設置され、前記伝動チャンバの中には総合ベベルギヤが回転できるように設置されていることを特徴とする請求項３に記載のアクセサリー展示収納ボックス。
【請求項５】
前記伝動装置は前記動力チャンバの中に回転できるように設置されている回転軸を含み、前記回転軸の右端にはサブリールが固定的に設置され、前記回転軸の左端にはウォームが固定的に設置され、前記サブリールと前記内主体とが伝動縄により連結され、前記動力チャンバの中にはメイン回転軸が設置され、前記メイン回転軸の後端にはウォームホイールが設置され、前記メイン回転軸の前端には下プーリが設置され、前記動力チャンバの中にはサブ回転軸が設置され、前記サブ回転軸の前端には上プーリが設置され、前記上プーリと前記下プーリとの間には延伸ベルトが設置され、前記サブ回転軸の後端にはカムが設置され、前記動力チャンバの中には伝動スリーブ軸がスライドできるように設置され、前記伝動スリーブ軸の外壁には下ギヤが設置され、前記動力チャンバの中には延伸軸が設置され、前記延伸軸の底端には伝動ベベルギヤが固定的に設置され、前記延伸軸の頂端にはメインギヤが固定的に設置され、前記伝動チャンバの中には伝動軸が設置され、前記伝動軸の表面には上ギヤが固定的に設置され、前記伝動軸と前記伝動スリーブ軸とがスプラインにより連結され、前記伝動軸の頂端には左プーリが固定的に設置され、前記収納チャンバの中には同期軸が設置され、前記同期軸の頂端には右プーリが設置され、前記右プーリと前記左プーリとの間には同期ベルトが設置され、前記同期軸の底端には上ベベルギヤが設置され、前記内主体の中には同期入力ベベルギヤが設置され、前記同期入力ベベルギヤが前記内主体の中の前記伝動軸の末端と固定的に連結され、前記内主体の中には同期入力軸が回転できるように設置され、前記同期入力軸の左端には出力ベベルギヤが固定的に設置され、前記同期入力軸の右端には下ベベルギヤが固定的に設置されていることを特徴とする請求項４に記載のアクセサリー展示収納ボックス。
【発明の詳細な説明】
【技術分野】
【０００１】
本発明はアクセサリー展示分野を取り上げて、具体的にはアクセサリー展示収納ボックスである。
【背景技術】
【０００２】
現在、商店内のアクセサリーの種類が多く、展示ラック又は箱にアクセサリーを置いて展示して売り、しかし、従来のアクセサリー展示ラック又は箱は、直接の収納機能を有しなく、店員がアクセサリーを一々取り出して特定の位置に入れて貯蔵を行い、それで営業効率が低く、そのため、本発明は展示機能と貯蔵収納機能を結合させる展示ボックスを設計することを目的とする。
【先行技術文献】
【特許文献】
【０００３】
【特許文献１】中国特許出願公開第107536343号明細書
【発明の概要】
【発明が解決しようとする課題】
【０００４】
本発明はアクセサリー展示収納ボックスを提供し、従来技術における上記欠点を解消することを目的とする。
【課題を解決するための手段】
【０００５】
本発明のアクセサリー展示収納ボックスは、外主体を含み、前記外主体の中には収納チャンバが設置され、前記収納チャンバの中には内主体がスライドできるように設置され、前記外主体の中には縦方向に八組、円周方向に十六組の展示チャンバが設置され、前記内主体の中には縦方向に八組、円周方向に四組の前記展示チャンバが設置され、今回はその中の一組の前記展示チャンバを例として詳しく説明し、前記展示チャンバの中には固定ベースが設置され、前記固定ベースの頂端には展示装置が設置され、前記固定ベースの中にはリミットチャンバが設置され、  前記リミットチャンバの中にはリミット装置が設置され、前記外主体の中には動力チャンバが設置され、前記動力チャンバの中には伝動装置が設置され、前記動力チャンバの中には収納装置が設置され、前記動力チャンバの中には駆動機構が設置され、前記駆動機構は主軸及びモータを含み、前記モータが前記動力チャンバの片側壁の中に固定的に設置され、前記主軸が前記動力チャンバの中に回転できるように設置され、前記主軸の一端が前記モータと動力が伝達できるように連結され、前記主軸のもう一端にはメインベベルギヤが固定的に設置され、前記駆動機構が前記伝動装置を連動させて回転させ、更に前記展示装置を連動させて回転させる。
【０００６】
好ましくは、前記収納装置は前記動力チャンバの中に設置されているネジロッドを含み、前記ネジロッドが前記内主体と連結され、前記ネジロッドの底端にはサブプーリが固定的に設置され、前記動力チャンバの中には収納軸が回転できるように設置され、前記収納軸の底端にはメインプーリが固定的に設置され、前記メインプーリと前記サブプーリとの間には収納ベルトが設置され、前記収納軸の頂端には収納ベベルギヤが固定的に設置されている。
【０００７】
好ましくは、前記展示装置は前記固定ベースに設置されている展示ベースを含み、前記展示ベースには展示板が回転できるように設置され、前記展示ベースの中には反転チャンバが設置され、前記反転チャンバの中には前記展示板とヒンジにより連結されている展示スライダが設置され、前記展示スライダと前記反転チャンバとの間には第一ばねが弾性を持つように設置され、前記反転チャンバの中には展示軸が回転できるように設置され、前記展示軸にはメインリールが固定的に設置され、前記メインリールと前記展示スライダとが伝動縄により連結され、前記固定ベースの中には展示動力チャンバが設置され、前記展示動力チャンバの中には前記展示軸とスプラインにより連結されている展示中心軸が回転できるように設置され、前記展示中心軸の底端には展示サブベベルギヤが固定的に設置されている。
【０００８】
好ましくは、前記リミット装置は、前記リミットチャンバの中にスライドできるように設置され、且つ前記展示スライダのスライドを制限する引っ掛かりブロックを含み、前記引っ掛かりブロックと前記リミットチャンバとの間には第二ばねが弾性を持つように設置され、前記リミットチャンバの中にはリミット軸が設置され、前記リミット軸の後端にはリミットギヤが設置され、前記リミット軸の前端にはリミットサブベベルギヤが設置され、前記リミットチャンバの中には展示主軸が設置され、前記展示主軸の左端には前記リミットサブベベルギヤと噛み合っている左ベベルギヤが設置され、前記展示主軸の外壁には前記展示動力チャンバの中に位置している展示メインベベルギヤが設置され、前記展示動力チャンバの片側の壁の中には伝動チャンバが設置され、前記展示主軸の右端には前記伝動チャンバの中に位置している右ベベルギヤが設置され、前記伝動チャンバの中には総合ベベルギヤが回転できるように設置されている。
【０００９】
好ましくは、前記伝動装置は前記動力チャンバの中に回転できるように設置されている回転軸を含み、前記回転軸の右端にはサブリールが固定的に設置され、前記回転軸の左端にはウォームが固定的に設置され、前記サブリールと前記内主体とが伝動縄により連結され、前記動力チャンバの中にはメイン回転軸が設置され、前記メイン回転軸の後端にはウォームホイールが設置され、前記メイン回転軸の前端には下プーリが設置され、前記動力チャンバの中にはサブ回転軸が設置され、前記サブ回転軸の前端には上プーリが設置され、前記上プーリと前記下プーリとの間には延伸ベルトが設置され、前記サブ回転軸の後端にはカムが設置され、前記動力チャンバの中には伝動スリーブ軸がスライドできるように設置され、前記伝動スリーブ軸の外壁には下ギヤが設置され、前記動力チャンバの中には延伸軸が設置され、前記延伸軸の底端には伝動ベベルギヤが固定的に設置され、前記延伸軸の頂端にはメインギヤが固定的に設置され、前記伝動チャンバの中には伝動軸が設置され、前記伝動軸の表面には上ギヤが固定的に設置され、前記伝動軸と前記伝動スリーブ軸とがスプラインにより連結され、前記伝動軸の頂端には左プーリが固定的に設置され、前記収納チャンバの中には同期軸が設置され、前記同期軸の頂端には右プーリが設置され、前記右プーリと前記左プーリとの間には同期ベルトが設置され、前記同期軸の底端には上ベベルギヤが設置され、前記内主体の中には同期入力ベベルギヤが設置され、前記同期入力ベベルギヤが前記内主体の中の前記伝動軸の末端と固定的に連結され、前記内主体の中には同期入力軸が回転できるように設置され、前記同期入力軸の左端には出力ベベルギヤが固定的に設置され、前記同期入力軸の右端には下ベベルギヤが固定的に設置されている。
【発明の効果】
【００１０】
本発明の有益効果は：本発明は構成が簡単で、操作が便利で、当該設備は所要のスペースが小さく、収納できるアクセサリーの数が多く、空間の利用率が高く、且つ収納機能と展示機能を有し、人でアクセサリーを一々取り出して収納する必要はなく、店員の労働強度を軽減し、商店の営業効率を向上させ、そのため、当該設備は高い使用価値と普及する価値を有する。
【図面の簡単な説明】
【００１１】
本発明の実施例または従来技術における技術プランをもっとはっきり説明するために、以下は実施例または従来技術を説明する時に必要な付図を簡単に紹介する。  
【００１２】
本発明の説明には、理解する必要があるのは、専門用語の「中心」、「縦」、「横」、「長さ」、「幅」、「厚み」、「上」、「下」、「前」、「後」、「左」、「右」、「縦」、「水平」、「頂」、「底」、「内」、「外」、「時計回り」、「反時計回り」などが指示する方位または位置関係は図１に基づいて示す方位または位置関係である。本発明を説明しやすいためだけで、デバイスやコンポが特定の方位を必ず有し、特定の方位で構成と操作されることを指示するわけではないので、本発明に対しての制限と理解してはいけない。
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明のアクセサリー展示収納ボックスの全体構成模式図
【図２】図２は図１のＡの構成模式図
【図３】図３は図１のＢの構成模式図
【図４】図４は図１の展示装置の展示状態の模式図
【発明を実施するための形態】
【００１５】
本発明書に開示した全ての特徴、或いは開示した全ての方法、過程中のステップは、互いに排斥する特徴或いはステップ以外に、いかなる方式で組み合わせることができる。
【００１６】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１７】
図１〜４に示すように、本発明の実施例のアクセサリー展示収納ボックスは、外主体１１を含み、前記外主体１１の中には収納チャンバ６４が設置され、前記収納チャンバ６４の中には内主体１２がスライドできるように設置され、前記外主体１１の中には縦方向に八組、円周方向に十六組の展示チャンバ１９が設置され、前記内主体１２の中には縦方向に八組、円周方向に四組の前記展示チャンバ１９が設置され、今回はその中の一組の前記展示チャンバ１９を例として詳しく説明し、前記展示チャンバ１９の中には固定ベース２７が設置され、前記固定ベース２７の頂端には展示装置１００が設置され、前記固定ベース２７の中にはリミットチャンバ３４が設置され、  前記リミットチャンバ３４の中にはリミット装置３００が設置され、前記外主体１１の中には動力チャンバ５７が設置され、前記動力チャンバ５７の中には伝動装置４００が設置され、前記動力チャンバ５７の中には収納装置２００が設置され、前記動力チャンバ５７の中には駆動機構が設置され、前記駆動機構は主軸５６及びモータ１８を含み、前記モータ１８が前記動力チャンバ５７の片側壁の中に固定的に設置され、前記主軸５６が前記動力チャンバ５７の中に回転できるように設置され、前記主軸５６の一端が前記モータ１８と動力が伝達できるように連結され、前記主軸５６のもう一端にはメインベベルギヤ５５が固定的に設置され、前記駆動機構が前記伝動装置を連動させて回転させ、更に前記展示装置を連動させて回転させる。
【００１８】
有益的には、前記収納装置２００は前記動力チャンバ５７の中に設置されているネジロッド１３を含み、前記ネジロッド１３が前記内主体１２と連結され、前記ネジロッド１３の底端にはサブプーリ１４が固定的に設置され、前記動力チャンバ５７の中には収納軸５３が回転できるように設置され、前記収納軸５３の底端にはメインプーリ１７が固定的に設置され、前記メインプーリ１７と前記サブプーリ１４との間には収納ベルト１５が設置され、前記収納軸５３の頂端には収納ベベルギヤ５４が固定的に設置されている。
【００１９】
有益的には、前記展示装置１００は前記固定ベース２７に設置されている展示ベース２２を含み、前記展示ベース２２には展示板２１が回転できるように設置され、前記展示ベース２２の中には反転チャンバ２４が設置され、前記反転チャンバ２４の中には前記展示板２１とヒンジにより連結されている展示スライダ２３が設置され、前記展示スライダ２３と前記反転チャンバ２４との間には第一ばね２５が弾性を持つように設置され、前記反転チャンバ２４の中には展示軸４１が回転できるように設置され、前記展示軸４１にはメインリール３７が固定的に設置され、前記メインリール３７と前記展示スライダ２３とが伝動縄により連結され、前記固定ベース２７の中には展示動力チャンバ３８が設置され、前記展示動力チャンバ３８の中には前記展示軸４１とスプラインにより連結されている展示中心軸３９が回転できるように設置され、前記展示中心軸３９の底端には展示サブベベルギヤ４０が固定的に設置されている。
【００２０】
有益的には、前記リミット装置３００は、前記リミットチャンバ３４の中にスライドできるように設置され、且つ前記展示スライダ２３のスライドを制限する引っ掛かりブロック２８を含み、前記引っ掛かりブロック２８と前記リミットチャンバ３４との間には第二ばね３０が弾性を持つように設置され、前記リミットチャンバ３４の中にはリミット軸３１が設置され、前記リミット軸３１の後端にはリミットギヤ３２が設置され、前記リミット軸３１の前端にはリミットサブベベルギヤ３３が設置され、前記リミットチャンバ３４の中には展示主軸４２が設置され、前記展示主軸４２の左端には前記リミットサブベベルギヤ３３と噛み合っている左ベベルギヤ３５が設置され、前記展示主軸４２の外壁には前記展示動力チャンバ３８の中に位置している展示メインベベルギヤ３６が設置され、前記展示動力チャンバ３８の片側の壁の中には伝動チャンバ４６が設置され、前記展示主軸４２の右端には前記伝動チャンバ４６の中に位置している右ベベルギヤ４３が設置され、前記伝動チャンバ４６の中には総合ベベルギヤ４４が回転できるように設置されている。
【００２１】
有益的には、前記伝動装置４００は前記動力チャンバ５７の中に回転できるように設置されている回転軸７２を含み、前記回転軸７２の右端にはサブリール７１が固定的に設置され、前記回転軸７２の左端にはウォーム７３が固定的に設置され、前記サブリール７１と前記内主体１２とが伝動縄により連結され、前記動力チャンバ５７の中にはメイン回転軸７６が設置され、前記メイン回転軸７６の後端にはウォームホイール７４が設置され、前記メイン回転軸７６の前端には下プーリ７５が設置され、前記動力チャンバ５７の中にはサブ回転軸８０が設置され、前記サブ回転軸８０の前端には上プーリ７９が設置され、前記上プーリ７９と前記下プーリ７５との間には延伸ベルト７７が設置され、前記サブ回転軸８０の後端にはカム７８が設置され、前記動力チャンバ５７の中には伝動スリーブ軸８１がスライドできるように設置され、前記伝動スリーブ軸８１の外壁には下ギヤ６１が設置され、前記動力チャンバ５７の中には延伸軸５９が設置され、前記延伸軸５９の底端には伝動ベベルギヤ５８が固定的に設置され、前記延伸軸５９の頂端にはメインギヤ６０が固定的に設置され、前記伝動チャンバ４６の中には伝動軸４７が設置され、前記伝動軸４７の表面には上ギヤ４５が固定的に設置され、前記伝動軸４７と前記伝動スリーブ軸８１とがスプラインにより連結され、前記伝動軸４７の頂端には左プーリ５２が固定的に設置され、前記収納チャンバ６４の中には同期軸４９が設置され、前記同期軸４９の頂端には右プーリ５０が設置され、前記右プーリ５０と前記左プーリ５２との間には同期ベルト５１が設置され、前記同期軸４９の底端には上ベベルギヤ４８が設置され、前記内主体１２の中には同期入力ベベルギヤ６５が設置され、前記同期入力ベベルギヤ６５が前記内主体１２の中の前記伝動軸４７の末端と固定的に連結され、前記内主体１２の中には同期入力軸６３が回転できるように設置され、前記同期入力軸６３の左端には出力ベベルギヤ６６が固定的に設置され、前記同期入力軸６３の右端には下ベベルギヤ６２が固定的に設置されている。
【００２２】
当設備を使用する時、モータ１８が作動し始め、更に主軸５６を連動させて回転させ、またメインベベルギヤ５５を連動させて回転させ、メインベベルギヤ５５が収納ベベルギヤ５４を連動させて回転させ、更に順に収納ベベルギヤ５４と、収納軸５３と、メインプーリ１７と、サブプーリ１４とによりネジロッド１３を連動させて回転させ、更に内主体１２を連動させて上方へスライドさせ、更にサブリール７１と、回転軸７２と、ウォーム７３と、ウォームホイール７４と、メイン回転軸７６と、下プーリ７５と、上プーリ７９と、サブ回転軸８０とによりカム７８を連動させて回転させ、内主体１２が一番頂端までスライドする時、下ベベルギヤ６２が上ベベルギヤ４８と噛み合い、カム７８が伝動スリーブ軸８１により下ギヤ６１を連動させて上方へスライドさせ、下ギヤ６１がメインギヤ６０と噛み合い、メインベベルギヤ５５が伝動ベベルギヤ５８と、延伸軸５９と、メインギヤ６０と、下ギヤ６１と、伝動スリーブ軸８１と、伝動軸４７と、上ギヤ４５とにより総合ベベルギヤ４４を連動させて回転させ、更に右ベベルギヤ４３と、展示主軸４２と、展示メインベベルギヤ３６と、展示サブベベルギヤ４０と、展示中心軸３９と、展示軸４１とによりメインリール３７を連動させて回転させ、更に展示スライダ２３を連動させて回転させ、更に展示板２１をを連動させて回転させ、展示スライダ２３が引っ掛かりブロック２８を止め、アクセサリーを展示し、同時に、伝動軸４７が左プーリ５２と、右プーリ５０と、同期軸４９と、上ベベルギヤ４８と、下ベベルギヤ６２と、同期入力軸６３と、出力ベベルギヤ６６と、同期入力ベベルギヤ６５とにより内主体１２の中の伝動軸４７を連動させて回転させ、アクセサリーを収納する時、モータ１８が逆方向へ作動し、内主体１２が下方へスライドし、アクセサリーを設備の中に収納する。
【００２３】
本発明の有益効果は：本発明は構成が簡単で、操作が便利で、当該設備は所要のスペースが小さく、収納できるアクセサリーの数が多く、空間の利用率が高く、且つ収納機能と展示機能を有し、人でアクセサリーを一々取り出して収納する必要はなく、店員の労働強度を軽減し、商店の営業効率を向上させ、そのため、当該設備は高い使用価値と普及する価値を有する。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175135.tif 000003
【図２】
2020175135.tif 000004
【図３】
2020175135.tif 000005
【図４】
2020175135.tif 000006
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、外主体を含み、前記外主体の中には収納チャンバが設置され、前記収納チャンバの中には内主体がスライドできるように設置され、前記外主体の中には縦方向に八組、円周方向に十六組の展示チャンバが設置され、前記内主体の中には縦方向に八組、円周方向に四組の前記展示チャンバが設置され、今回はその中の一組の前記展示チャンバを例として詳しく説明し、前記外主体と前記内主体とに設置された前記展示チャンバは同じ内部構成を有し、前記展示チャンバの中には固定ベースが設置され、前記固定ベースの頂端には展示装置が設置され、前記固定ベースの中にはリミットチャンバが設置され、  前記リミットチャンバの中にはリミット装置が設置され、前記外主体の中には動力チャンバが設置され、前記動力チャンバの中には伝動装置が設置され、前記動力チャンバの中には収納装置が設置され、前記動力チャンバの中には駆動機構が設置され、前記駆動機構は主軸及びモータを含み、前記モータが前記動力チャンバの片側壁の中に固定的に設置され、前記主軸が前記動力チャンバの中に回転できるように設置され、前記主軸の一端が前記モータと動力が伝達できるように連結され、前記主軸のもう一端にはメインベベルギヤが固定的に設置され、前記駆動機構が前記伝動装置を連動させて回転させ、更に前記展示装置を連動させて回転させ、
前記収納装置は前記動力チャンバの中に設置されているネジロッドを含み、前記ネジロッドが前記内主体と連結され、前記ネジロッドの底端にはサブプーリが固定的に設置され、前記動力チャンバの中には収納軸が回転できるように設置され、前記収納軸の底端にはメインプーリが固定的に設置され、前記メインプーリと前記サブプーリとの間には収納ベルトが設置され、前記収納軸の頂端には収納ベベルギヤが固定的に設置され、
前記展示装置は前記固定ベースに設置されている展示ベースを含み、前記展示ベースには展示板が回転できるように設置され、前記展示ベースの中には反転チャンバが設置され、前記反転チャンバの中には前記展示板とヒンジにより連結されている展示スライダが設置され、前記展示スライダと前記反転チャンバとの間には第一ばねが弾性を持つように設置され、前記反転チャンバの中には展示軸が回転できるように設置され、前記展示軸にはメインリールが固定的に設置され、前記メインリールと前記展示スライダとが伝動縄により連結され、前記固定ベースの中には展示動力チャンバが設置され、前記展示動力チャンバの中には前記展示軸とスプラインにより連結されている展示中心軸が回転できるように設置され、前記展示中心軸の底端には展示サブベベルギヤが固定的に設置され、
前記リミット装置は、前記リミットチャンバの中にスライドできるように設置され、且つ前記展示スライダのスライドを制限する引っ掛かりブロックを含み、前記引っ掛かりブロックと前記リミットチャンバとの間には第二ばねが弾性を持つように設置され、前記リミットチャンバの中にはリミット軸が設置され、前記リミット軸の後端にはリミットギヤが設置され、前記リミット軸の前端にはリミットサブベベルギヤが設置され、前記リミットチャンバの中には展示主軸が設置され、前記展示主軸の左端には前記リミットサブベベルギヤと噛み合っている左ベベルギヤが設置され、前記展示主軸の外壁には前記展示動力チャンバの中に位置している展示メインベベルギヤが設置され、前記展示動力チャンバの片側の壁の中には伝動チャンバが設置され、前記展示主軸の右端には前記伝動チャンバの中に位置している右ベベルギヤが設置され、前記伝動チャンバの中には総合ベベルギヤが回転できるように設置され、
前記伝動装置は前記動力チャンバの中に回転できるように設置されている回転軸を含み、前記回転軸の右端にはサブリールが固定的に設置され、前記回転軸の左端にはウォームが固定的に設置され、前記サブリールと前記内主体とが伝動縄により連結され、前記動力チャンバの中にはメイン回転軸が設置され、前記メイン回転軸の後端にはウォームホイールが設置され、前記メイン回転軸の前端には下プーリが設置され、前記動力チャンバの中にはサブ回転軸が設置され、前記サブ回転軸の前端には上プーリが設置され、前記上プーリと前記下プーリとの間には延伸ベルトが設置され、前記サブ回転軸の後端にはカムが設置され、前記動力チャンバの中には伝動スリーブ軸がスライドできるように設置され、前記伝動スリーブ軸の外壁には下ギヤが設置され、前記動力チャンバの中には延伸軸が設置され、前記延伸軸の底端には伝動ベベルギヤが固定的に設置され、前記延伸軸の頂端にはメインギヤが固定的に設置され、前記伝動チャンバの中には伝動軸が設置され、前記伝動軸の表面には上ギヤが固定的に設置され、前記伝動軸と前記伝動スリーブ軸とがスプラインにより連結され、前記伝動軸の頂端には左プーリが固定的に設置され、前記収納チャンバの中には同期軸が設置され、前記同期軸の頂端には右プーリが設置され、前記右プーリと前記左プーリとの間には同期ベルトが設置され、前記同期軸の底端には上ベベルギヤが設置され、前記内主体の中には同期入力ベベルギヤが設置され、前記同期入力ベベルギヤが前記内主体の中の前記伝動軸の末端と固定的に連結され、前記内主体の中には同期入力軸が回転できるように設置され、前記同期入力軸の左端には出力ベベルギヤが固定的に設置され、前記同期入力軸の右端には下ベベルギヤが固定的に設置され、前記モータの回転により、内主体はまず上昇し、下ベベルギヤを上昇させて上ベベルギヤと噛み合わせ、結果として、地面と垂直方向の前記伝導軸は回転し、複数の地面と水平方向の展示主軸を連動させて回転させ、やがて複数の展示板は地面と水平方向の軸に沿って起立するように回転することを特徴とするアクセサリー展示収納ボックス。
【手続補正２】
【補正対象書類名】明細書
【補正対象項目名】全文
【補正方法】変更
【補正の内容】
【発明の詳細な説明】
【技術分野】
【０００１】
本発明はアクセサリー展示分野を取り上げて、具体的にはアクセサリー展示収納ボックスである。
【背景技術】
【０００２】
現在、商店内のアクセサリーの種類が多く、展示ラック又は箱にアクセサリーを置いて展示して売り、しかし、従来のアクセサリー展示ラック又は箱は、直接の収納機能を有しなく、店員がアクセサリーを一々取り出して特定の位置に入れて貯蔵を行い、それで営業効率が低く、そのため、本発明は展示機能と貯蔵収納機能を結合させる展示ボックスを設計することを目的とする。
【先行技術文献】
【特許文献】
【０００３】
【特許文献１】中国特許出願公開第１０７５３６３４３号明細書
【発明の概要】
【発明が解決しようとする課題】
【０００４】
本発明はアクセサリー展示収納ボックスを提供し、従来技術における上記欠点を解消することを目的とする。
【課題を解決するための手段】
【０００５】
本発明のアクセサリー展示収納ボックスは、外主体を含み、前記外主体の中には収納チャンバが設置され、前記収納チャンバの中には内主体がスライドできるように設置され、前記外主体の中には縦方向に八組、円周方向に十六組の展示チャンバが設置され、前記内主体の中には縦方向に八組、円周方向に四組の前記展示チャンバが設置され、今回はその中の一組の前記展示チャンバを例として詳しく説明し、前記外主体と前記内主体とに設置された前記展示チャンバは同じ内部構成を有し、前記展示チャンバの中には固定ベースが設置され、前記固定ベースの頂端には展示装置が設置され、前記固定ベースの中にはリミットチャンバが設置され、  前記リミットチャンバの中にはリミット装置が設置され、前記外主体の中には動力チャンバが設置され、前記動力チャンバの中には伝動装置が設置され、前記動力チャンバの中には収納装置が設置され、前記動力チャンバの中には駆動機構が設置され、前記駆動機構は主軸及びモータを含み、前記モータが前記動力チャンバの片側壁の中に固定的に設置され、前記主軸が前記動力チャンバの中に回転できるように設置され、前記主軸の一端が前記モータと動力が伝達できるように連結され、前記主軸のもう一端にはメインベベルギヤが固定的に設置され、前記駆動機構が前記伝動装置を連動させて回転させ、更に前記展示装置を連動させて回転させる。
【０００６】
好ましくは、前記収納装置は前記動力チャンバの中に設置されているネジロッドを含み、前記ネジロッドが前記内主体と連結され、前記ネジロッドの底端にはサブプーリが固定的に設置され、前記動力チャンバの中には収納軸が回転できるように設置され、前記収納軸の底端にはメインプーリが固定的に設置され、前記メインプーリと前記サブプーリとの間には収納ベルトが設置され、前記収納軸の頂端には収納ベベルギヤが固定的に設置されている。
【０００７】
好ましくは、前記展示装置は前記固定ベースに設置されている展示ベースを含み、前記展示ベースには展示板が回転できるように設置され、前記展示ベースの中には反転チャンバが設置され、前記反転チャンバの中には前記展示板とヒンジにより連結されている展示スライダが設置され、前記展示スライダと前記反転チャンバとの間には第一ばねが弾性を持つように設置され、前記反転チャンバの中には展示軸が回転できるように設置され、前記展示軸にはメインリールが固定的に設置され、前記メインリールと前記展示スライダとが伝動縄により連結され、前記固定ベースの中には展示動力チャンバが設置され、前記展示動力チャンバの中には前記展示軸とスプラインにより連結されている展示中心軸が回転できるように設置され、前記展示中心軸の底端には展示サブベベルギヤが固定的に設置されている。
【０００８】
好ましくは、前記リミット装置は、前記リミットチャンバの中にスライドできるように設置され、且つ前記展示スライダのスライドを制限する引っ掛かりブロックを含み、前記引っ掛かりブロックと前記リミットチャンバとの間には第二ばねが弾性を持つように設置され、前記リミットチャンバの中にはリミット軸が設置され、前記リミット軸の後端にはリミットギヤが設置され、前記リミット軸の前端にはリミットサブベベルギヤが設置され、前記リミットチャンバの中には展示主軸が設置され、前記展示主軸の左端には前記リミットサブベベルギヤと噛み合っている左ベベルギヤが設置され、前記展示主軸の外壁には前記展示動力チャンバの中に位置している展示メインベベルギヤが設置され、前記展示動力チャンバの片側の壁の中には伝動チャンバが設置され、前記展示主軸の右端には前記伝動チャンバの中に位置している右ベベルギヤが設置され、前記伝動チャンバの中には総合ベベルギヤが回転できるように設置されている。
【０００９】
好ましくは、前記伝動装置は前記動力チャンバの中に回転できるように設置されている回転軸を含み、前記回転軸の右端にはサブリールが固定的に設置され、前記回転軸の左端にはウォームが固定的に設置され、前記サブリールと前記内主体とが伝動縄により連結され、前記動力チャンバの中にはメイン回転軸が設置され、前記メイン回転軸の後端にはウォームホイールが設置され、前記メイン回転軸の前端には下プーリが設置され、前記動力チャンバの中にはサブ回転軸が設置され、前記サブ回転軸の前端には上プーリが設置され、前記上プーリと前記下プーリとの間には延伸ベルトが設置され、前記サブ回転軸の後端にはカムが設置され、前記動力チャンバの中には伝動スリーブ軸がスライドできるように設置され、前記伝動スリーブ軸の外壁には下ギヤが設置され、前記動力チャンバの中には延伸軸が設置され、前記延伸軸の底端には伝動ベベルギヤが固定的に設置され、前記延伸軸の頂端にはメインギヤが固定的に設置され、前記伝動チャンバの中には伝動軸が設置され、前記伝動軸の表面には上ギヤが固定的に設置され、前記伝動軸と前記伝動スリーブ軸とがスプラインにより連結され、前記伝動軸の頂端には左プーリが固定的に設置され、前記収納チャンバの中には同期軸が設置され、前記同期軸の頂端には右プーリが設置され、前記右プーリと前記左プーリとの間には同期ベルトが設置され、前記同期軸の底端には上ベベルギヤが設置され、前記内主体の中には同期入力ベベルギヤが設置され、前記同期入力ベベルギヤが前記内主体の中の前記伝動軸の末端と固定的に連結され、前記内主体の中には同期入力軸が回転できるように設置され、前記同期入力軸の左端には出力ベベルギヤが固定的に設置され、前記同期入力軸の右端には下ベベルギヤが固定的に設置され、前記モータの回転により、内主体はまず上昇し、下ベベルギヤを上昇させて上ベベルギヤと噛み合わせ、結果として、地面と垂直方向の前記伝導軸は回転し、複数の地面と水平方向の展示主軸を連動させて回転させ、やがて複数の展示板は地面と水平方向の軸に沿って起立するように回転する。
【発明の効果】
【００１０】
本発明の有益効果は：本発明は構成が簡単で、操作が便利で、当該設備は所要のスペースが小さく、収納できるアクセサリーの数が多く、空間の利用率が高く、且つ収納機能と展示機能を有し、人でアクセサリーを一々取り出して収納する必要はなく、店員の労働強度を軽減し、商店の営業効率を向上させ、そのため、当該設備は高い使用価値と普及する価値を有する。
【図面の簡単な説明】
【００１１】
本発明の実施例または従来技術における技術プランをもっとはっきり説明するために、以下は実施例または従来技術を説明する時に必要な付図を簡単に紹介する。  
【００１２】
本発明の説明には、理解する必要があるのは、専門用語の「中心」、「縦」、「横」、「長さ」、「幅」、「厚み」、「上」、「下」、「前」、「後」、「左」、「右」、「縦」、「水平」、「頂」、「底」、「内」、「外」、「時計回り」、「反時計回り」などが指示する方位または位置関係は図１に基づいて示す方位または位置関係である。本発明を説明しやすいためだけで、デバイスやコンポが特定の方位を必ず有し、特定の方位で構成と操作されることを指示するわけではないので、本発明に対しての制限と理解してはいけない。
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明のアクセサリー展示収納ボックスの全体構成模式図
【図２】図２は図１のＡの構成模式図
【図３】図３は図１のＢの構成模式図
【図４】図４は図１の展示装置の展示状態の模式図
【発明を実施するための形態】
【００１５】
本発明書に開示した全ての特徴、或いは開示した全ての方法、過程中のステップは、互いに排斥する特徴或いはステップ以外に、いかなる方式で組み合わせることができる。
【００１６】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１７】
図１〜４に示すように、本発明の実施例のアクセサリー展示収納ボックスは、外主体１１を含み、前記外主体１１の中には収納チャンバ６４が設置され、前記収納チャンバ６４の中には内主体１２がスライドできるように設置され、前記外主体１１の中には縦方向に八組、円周方向に十六組の展示チャンバ１９が設置され、前記内主体１２の中には縦方向に八組、円周方向に四組の前記展示チャンバ１９が設置され、今回はその中の一組の前記展示チャンバ１９を例として詳しく説明し、前記外主体１１と前記内主体１２とに設置された前記展示チャンバ１９は同じ内部構成を有し、前記展示チャンバ１９の中には固定ベース２７が設置され、前記固定ベース２７の頂端には展示装置１００が設置され、前記固定ベース２７の中にはリミットチャンバ３４が設置され、  前記リミットチャンバ３４の中にはリミット装置３００が設置され、前記外主体１１の中には動力チャンバ５７が設置され、前記動力チャンバ５７の中には伝動装置４００が設置され、前記動力チャンバ５７の中には収納装置２００が設置され、前記動力チャンバ５７の中には駆動機構が設置され、前記駆動機構は主軸５６及びモータ１８を含み、前記モータ１８が前記動力チャンバ５７の片側壁の中に固定的に設置され、前記主軸５６が前記動力チャンバ５７の中に回転できるように設置され、前記主軸５６の一端が前記モータ１８と動力が伝達できるように連結され、前記主軸５６のもう一端にはメインベベルギヤ５５が固定的に設置され、前記駆動機構が前記伝動装置を連動させて回転させ、更に前記展示装置を連動させて回転させる。
【００１８】
有益的には、前記収納装置２００は前記動力チャンバ５７の中に設置されているネジロッド１３を含み、前記ネジロッド１３が前記内主体１２と連結され、前記ネジロッド１３の底端にはサブプーリ１４が固定的に設置され、前記動力チャンバ５７の中には収納軸５３が回転できるように設置され、前記収納軸５３の底端にはメインプーリ１７が固定的に設置され、前記メインプーリ１７と前記サブプーリ１４との間には収納ベルト１５が設置され、前記収納軸５３の頂端には収納ベベルギヤ５４が固定的に設置されている。
【００１９】
有益的には、前記展示装置１００は前記固定ベース２７に設置されている展示ベース２２を含み、前記展示ベース２２には展示板２１が回転できるように設置され、前記展示ベース２２の中には反転チャンバ２４が設置され、前記反転チャンバ２４の中には前記展示板２１とヒンジにより連結されている展示スライダ２３が設置され、前記展示スライダ２３と前記反転チャンバ２４との間には第一ばね２５が弾性を持つように設置され、前記反転チャンバ２４の中には展示軸４１が回転できるように設置され、前記展示軸４１にはメインリール３７が固定的に設置され、前記メインリール３７と前記展示スライダ２３とが伝動縄により連結され、前記固定ベース２７の中には展示動力チャンバ３８が設置され、前記展示動力チャンバ３８の中には前記展示軸４１とスプラインにより連結されている展示中心軸３９が回転できるように設置され、前記展示中心軸３９の底端には展示サブベベルギヤ４０が固定的に設置されている。
【００２０】
有益的には、前記リミット装置３００は、前記リミットチャンバ３４の中にスライドできるように設置され、且つ前記展示スライダ２３のスライドを制限する引っ掛かりブロック２８を含み、前記引っ掛かりブロック２８と前記リミットチャンバ３４との間には第二ばね３０が弾性を持つように設置され、前記リミットチャンバ３４の中にはリミット軸３１が設置され、前記リミット軸３１の後端にはリミットギヤ３２が設置され、前記リミット軸３１の前端にはリミットサブベベルギヤ３３が設置され、前記リミットチャンバ３４の中には展示主軸４２が設置され、前記展示主軸４２の左端には前記リミットサブベベルギヤ３３と噛み合っている左ベベルギヤ３５が設置され、前記展示主軸４２の外壁には前記展示動力チャンバ３８の中に位置している展示メインベベルギヤ３６が設置され、前記展示動力チャンバ３８の片側の壁の中には伝動チャンバ４６が設置され、前記展示主軸４２の右端には前記伝動チャンバ４６の中に位置している右ベベルギヤ４３が設置され、前記伝動チャンバ４６の中には総合ベベルギヤ４４が回転できるように設置されている。
【００２１】
有益的には、前記伝動装置４００は前記動力チャンバ５７の中に回転できるように設置されている回転軸７２を含み、前記回転軸７２の右端にはサブリール７１が固定的に設置され、前記回転軸７２の左端にはウォーム７３が固定的に設置され、前記サブリール７１と前記内主体１２とが伝動縄により連結され、前記動力チャンバ５７の中にはメイン回転軸７６が設置され、前記メイン回転軸７６の後端にはウォームホイール７４が設置され、前記メイン回転軸７６の前端には下プーリ７５が設置され、前記動力チャンバ５７の中にはサブ回転軸８０が設置され、前記サブ回転軸８０の前端には上プーリ７９が設置され、前記上プーリ７９と前記下プーリ７５との間には延伸ベルト７７が設置され、前記サブ回転軸８０の後端にはカム７８が設置され、前記動力チャンバ５７の中には伝動スリーブ軸８１がスライドできるように設置され、前記伝動スリーブ軸８１の外壁には下ギヤ６１が設置され、前記動力チャンバ５７の中には延伸軸５９が設置され、前記延伸軸５９の底端には伝動ベベルギヤ５８が固定的に設置され、前記延伸軸５９の頂端にはメインギヤ６０が固定的に設置され、前記伝動チャンバ４６の中には伝動軸４７が設置され、前記伝動軸４７の表面には上ギヤ４５が固定的に設置され、前記伝動軸４７と前記伝動スリーブ軸８１とがスプラインにより連結され、前記伝動軸４７の頂端には左プーリ５２が固定的に設置され、前記収納チャンバ６４の中には同期軸４９が設置され、前記同期軸４９の頂端には右プーリ５０が設置され、前記右プーリ５０と前記左プーリ５２との間には同期ベルト５１が設置され、前記同期軸４９の底端には上ベベルギヤ４８が設置され、前記内主体１２の中には同期入力ベベルギヤ６５が設置され、前記同期入力ベベルギヤ６５が前記内主体１２の中の前記伝動軸４７の末端と固定的に連結され、前記内主体１２の中には同期入力軸６３が回転できるように設置され、前記同期入力軸６３の左端には出力ベベルギヤ６６が固定的に設置され、前記同期入力軸６３の右端には下ベベルギヤ６２が固定的に設置され、前記モータ１８の回転により、内主体１２はまず上昇し、下ベベルギヤを６２上昇させて上ベベルギヤ４８と噛み合わせ、結果として、地面と垂直方向の前記伝動軸４７は回転し、複数の地面と水平方向の展示主軸４２を連動させて回転させ、やがて複数の展示板２１は地面と水平方向の軸に沿って起立するように回転する。
【００２２】
当設備を使用する時、モータ１８が作動し始め、更に主軸５６を連動させて回転させ、またメインベベルギヤ５５を連動させて回転させ、メインベベルギヤ５５が収納ベベルギヤ５４を連動させて回転させ、更に順に収納ベベルギヤ５４と、収納軸５３と、メインプーリ１７と、サブプーリ１４とによりネジロッド１３を連動させて回転させ、更に内主体１２を連動させて上方へスライドさせ、更にサブリール７１と、回転軸７２と、ウォーム７３と、ウォームホイール７４と、メイン回転軸７６と、下プーリ７５と、上プーリ７９と、サブ回転軸８０とによりカム７８を連動させて回転させ、内主体１２が一番頂端までスライドする時、下ベベルギヤ６２が上ベベルギヤ４８と噛み合い、カム７８が伝動スリーブ軸８１により下ギヤ６１を連動させて上方へスライドさせ、下ギヤ６１がメインギヤ６０と噛み合い、メインベベルギヤ５５が伝動ベベルギヤ５８と、延伸軸５９と、メインギヤ６０と、下ギヤ６１と、伝動スリーブ軸８１と、伝動軸４７と、上ギヤ４５とにより総合ベベルギヤ４４を連動させて回転させ、更に右ベベルギヤ４３と、展示主軸４２と、展示メインベベルギヤ３６と、展示サブベベルギヤ４０と、展示中心軸３９と、展示軸４１とによりメインリール３７を連動させて回転させ、更に展示スライダ２３を連動させて回転させ、更に展示板２１をを連動させて回転させ、展示スライダ２３が引っ掛かりブロック２８を止め、アクセサリーを展示し、同時に、伝動軸４７が左プーリ５２と、右プーリ５０と、同期軸４９と、上ベベルギヤ４８と、下ベベルギヤ６２と、同期入力軸６３と、出力ベベルギヤ６６と、同期入力ベベルギヤ６５とにより内主体１２の中の伝動軸４７を連動させて回転させ、アクセサリーを収納する時、モータ１８が逆方向へ作動し、内主体１２が下方へスライドし、アクセサリーを設備の中に収納する。
【００２３】
本発明の有益効果は：本発明は構成が簡単で、操作が便利で、当該設備は所要のスペースが小さく、収納できるアクセサリーの数が多く、空間の利用率が高く、且つ収納機能と展示機能を有し、人でアクセサリーを一々取り出して収納する必要はなく、店員の労働強度を軽減し、商店の営業効率を向上させ、そのため、当該設備は高い使用価値と普及する価値を有する。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
正面視で、外主体を含み、前記外主体の中には収納チャンバが設置され、前記収納チャンバの中には内主体がスライドできるように設置され、前記外主体の中には縦方向に八組、円周方向に十六組の展示チャンバが設置され、前記内主体の中には縦方向に八組、円周方向に四組の前記展示チャンバが設置され、前記外主体と前記内主体とに設置された前記展示チャンバは同じ内部構成を有し、前記展示チャンバの中には固定ベースが設置され、前記固定ベースの頂端には展示装置が設置され、前記固定ベースの中にはリミットチャンバが設置され、  前記リミットチャンバの中にはリミット装置が設置され、前記外主体の中には動力チャンバが設置され、前記動力チャンバの中には伝動装置が設置され、前記動力チャンバの中には収納装置が設置され、前記動力チャンバの中には駆動機構が設置され、前記駆動機構は主軸及びモータを含み、前記モータが前記動力チャンバの片側壁の中に固定的に設置され、前記主軸が前記動力チャンバの中に回転できるように設置され、前記主軸の一端が前記モータと動力が伝達できるように連結され、前記主軸のもう一端にはメインベベルギヤが固定的に設置され、前記駆動機構が前記伝動装置を連動させて回転させ、更に前記展示装置を連動させて回転させ、
前記収納装置は前記動力チャンバの中に設置されているネジロッドを含み、前記ネジロッドが前記内主体と連結され、前記ネジロッドの底端にはサブプーリが固定的に設置され、前記動力チャンバの中には収納軸が回転できるように設置され、前記収納軸の底端にはメインプーリが固定的に設置され、前記メインプーリと前記サブプーリとの間には収納ベルトが設置され、前記収納軸の頂端には収納ベベルギヤが固定的に設置され、
前記展示装置は前記固定ベースに設置されている展示ベースを含み、前記展示ベースには展示板が回転できるように設置され、前記展示ベースの中には反転チャンバが設置され、前記反転チャンバの中には前記展示板とヒンジにより連結されている展示スライダが設置され、前記展示スライダと前記反転チャンバとの間には第一ばねが弾性を持つように設置され、前記反転チャンバの中には展示軸が回転できるように設置され、前記展示軸にはメインリールが固定的に設置され、前記メインリールと前記展示スライダとが伝動縄により連結され、前記固定ベースの中には展示動力チャンバが設置され、前記展示動力チャンバの中には前記展示軸とスプラインにより連結されている展示中心軸が回転できるように設置され、前記展示中心軸の底端には展示サブベベルギヤが固定的に設置され、
前記リミット装置は、前記リミットチャンバの中にスライドできるように設置され、且つ前記展示スライダのスライドを制限する引っ掛かりブロックを含み、前記引っ掛かりブロックと前記リミットチャンバとの間には第二ばねが弾性を持つように設置され、前記リミットチャンバの中にはリミット軸が設置され、前記リミット軸の後端にはリミットギヤが設置され、前記リミット軸の前端にはリミットサブベベルギヤが設置され、前記リミットチャンバの中には展示主軸が設置され、前記展示主軸の左端には前記リミットサブベベルギヤと噛み合っている左ベベルギヤが設置され、前記展示主軸の外壁には前記展示動力チャンバの中に位置している展示メインベベルギヤが設置され、前記展示動力チャンバの片側の壁の中には伝動チャンバが設置され、前記展示主軸の右端には前記伝動チャンバの中に位置している右ベベルギヤが設置され、前記伝動チャンバの中には総合ベベルギヤが回転できるように設置され、
前記伝動装置は前記動力チャンバの中に回転できるように設置されている回転軸を含み、前記回転軸の右端にはサブリールが固定的に設置され、前記回転軸の左端にはウォームが固定的に設置され、前記サブリールと前記内主体とが伝動縄により連結され、前記動力チャンバの中にはメイン回転軸が設置され、前記メイン回転軸の後端にはウォームホイールが設置され、前記メイン回転軸の前端には下プーリが設置され、前記動力チャンバの中にはサブ回転軸が設置され、前記サブ回転軸の前端には上プーリが設置され、前記上プーリと前記下プーリとの間には延伸ベルトが設置され、前記サブ回転軸の後端にはカムが設置され、前記動力チャンバの中には伝動スリーブ軸がスライドできるように設置され、前記伝動スリーブ軸の外壁には下ギヤが設置され、前記動力チャンバの中には延伸軸が設置され、前記延伸軸の底端には伝動ベベルギヤが固定的に設置され、前記延伸軸の頂端にはメインギヤが固定的に設置され、前記伝動チャンバの中には伝動軸が設置され、前記伝動軸の表面には上ギヤが固定的に設置され、前記伝動軸と前記伝動スリーブ軸とがスプラインにより連結され、前記伝動軸の頂端には左プーリが固定的に設置され、前記収納チャンバの中には同期軸が設置され、前記同期軸の頂端には右プーリが設置され、前記右プーリと前記左プーリとの間には同期ベルトが設置され、前記同期軸の底端には上ベベルギヤが設置され、前記内主体の中には同期入力ベベルギヤが設置され、前記同期入力ベベルギヤが前記内主体の中の前記伝動軸の末端と固定的に連結され、前記内主体の中には同期入力軸が回転できるように設置され、前記同期入力軸の左端には出力ベベルギヤが固定的に設置され、前記同期入力軸の右端には下ベベルギヤが固定的に設置され、前記モータの回転により、内主体はまず上昇し、下ベベルギヤを上昇させて上ベベルギヤと噛み合わせ、結果として、地面と垂直方向の前記伝導軸は回転し、複数の地面と水平方向の展示主軸を連動させて回転させ、やがて複数の展示板は地面と水平方向の軸に沿って起立するように回転することを特徴とするアクセサリー展示収納ボックス。
【手続補正２】
【補正対象書類名】明細書
【補正対象項目名】全文
【補正方法】変更
【補正の内容】
【発明の詳細な説明】
【技術分野】
【０００１】
本発明はアクセサリー展示分野を取り上げて、具体的にはアクセサリー展示収納ボックスである。
【背景技術】
【０００２】
現在、商店内のアクセサリーの種類が多く、展示ラック又は箱にアクセサリーを置いて展示して売り、しかし、従来のアクセサリー展示ラック又は箱は、直接の収納機能を有しなく、店員がアクセサリーを一々取り出して特定の位置に入れて貯蔵を行い、それで営業効率が低く、そのため、本発明は展示機能と貯蔵収納機能を結合させる展示ボックスを設計することを目的とする。
【先行技術文献】
【特許文献】
【０００３】
【特許文献１】中国特許出願公開第１０７５３６３４３号明細書
【発明の概要】
【発明が解決しようとする課題】
【０００４】
本発明はアクセサリー展示収納ボックスを提供し、従来技術における上記欠点を解消することを目的とする。
【課題を解決するための手段】
【０００５】
本発明のアクセサリー展示収納ボックスは、外主体を含み、前記外主体の中には収納チャンバが設置され、前記収納チャンバの中には内主体がスライドできるように設置され、前記外主体の中には縦方向に八組、円周方向に十六組の展示チャンバが設置され、前記内主体の中には縦方向に八組、円周方向に四組の前記展示チャンバが設置され、前記外主体と前記内主体とに設置された前記展示チャンバは同じ内部構成を有し、前記展示チャンバの中には固定ベースが設置され、前記固定ベースの頂端には展示装置が設置され、前記固定ベースの中にはリミットチャンバが設置され、  前記リミットチャンバの中にはリミット装置が設置され、前記外主体の中には動力チャンバが設置され、前記動力チャンバの中には伝動装置が設置され、前記動力チャンバの中には収納装置が設置され、前記動力チャンバの中には駆動機構が設置され、前記駆動機構は主軸及びモータを含み、前記モータが前記動力チャンバの片側壁の中に固定的に設置され、前記主軸が前記動力チャンバの中に回転できるように設置され、前記主軸の一端が前記モータと動力が伝達できるように連結され、前記主軸のもう一端にはメインベベルギヤが固定的に設置され、前記駆動機構が前記伝動装置を連動させて回転させ、更に前記展示装置を連動させて回転させる。
【０００６】
好ましくは、前記収納装置は前記動力チャンバの中に設置されているネジロッドを含み、前記ネジロッドが前記内主体と連結され、前記ネジロッドの底端にはサブプーリが固定的に設置され、前記動力チャンバの中には収納軸が回転できるように設置され、前記収納軸の底端にはメインプーリが固定的に設置され、前記メインプーリと前記サブプーリとの間には収納ベルトが設置され、前記収納軸の頂端には収納ベベルギヤが固定的に設置されている。
【０００７】
好ましくは、前記展示装置は前記固定ベースに設置されている展示ベースを含み、前記展示ベースには展示板が回転できるように設置され、前記展示ベースの中には反転チャンバが設置され、前記反転チャンバの中には前記展示板とヒンジにより連結されている展示スライダが設置され、前記展示スライダと前記反転チャンバとの間には第一ばねが弾性を持つように設置され、前記反転チャンバの中には展示軸が回転できるように設置され、前記展示軸にはメインリールが固定的に設置され、前記メインリールと前記展示スライダとが伝動縄により連結され、前記固定ベースの中には展示動力チャンバが設置され、前記展示動力チャンバの中には前記展示軸とスプラインにより連結されている展示中心軸が回転できるように設置され、前記展示中心軸の底端には展示サブベベルギヤが固定的に設置されている。
【０００８】
好ましくは、前記リミット装置は、前記リミットチャンバの中にスライドできるように設置され、且つ前記展示スライダのスライドを制限する引っ掛かりブロックを含み、前記引っ掛かりブロックと前記リミットチャンバとの間には第二ばねが弾性を持つように設置され、前記リミットチャンバの中にはリミット軸が設置され、前記リミット軸の後端にはリミットギヤが設置され、前記リミット軸の前端にはリミットサブベベルギヤが設置され、前記リミットチャンバの中には展示主軸が設置され、前記展示主軸の左端には前記リミットサブベベルギヤと噛み合っている左ベベルギヤが設置され、前記展示主軸の外壁には前記展示動力チャンバの中に位置している展示メインベベルギヤが設置され、前記展示動力チャンバの片側の壁の中には伝動チャンバが設置され、前記展示主軸の右端には前記伝動チャンバの中に位置している右ベベルギヤが設置され、前記伝動チャンバの中には総合ベベルギヤが回転できるように設置されている。
【０００９】
好ましくは、前記伝動装置は前記動力チャンバの中に回転できるように設置されている回転軸を含み、前記回転軸の右端にはサブリールが固定的に設置され、前記回転軸の左端にはウォームが固定的に設置され、前記サブリールと前記内主体とが伝動縄により連結され、前記動力チャンバの中にはメイン回転軸が設置され、前記メイン回転軸の後端にはウォームホイールが設置され、前記メイン回転軸の前端には下プーリが設置され、前記動力チャンバの中にはサブ回転軸が設置され、前記サブ回転軸の前端には上プーリが設置され、前記上プーリと前記下プーリとの間には延伸ベルトが設置され、前記サブ回転軸の後端にはカムが設置され、前記動力チャンバの中には伝動スリーブ軸がスライドできるように設置され、前記伝動スリーブ軸の外壁には下ギヤが設置され、前記動力チャンバの中には延伸軸が設置され、前記延伸軸の底端には伝動ベベルギヤが固定的に設置され、前記延伸軸の頂端にはメインギヤが固定的に設置され、前記伝動チャンバの中には伝動軸が設置され、前記伝動軸の表面には上ギヤが固定的に設置され、前記伝動軸と前記伝動スリーブ軸とがスプラインにより連結され、前記伝動軸の頂端には左プーリが固定的に設置され、前記収納チャンバの中には同期軸が設置され、前記同期軸の頂端には右プーリが設置され、前記右プーリと前記左プーリとの間には同期ベルトが設置され、前記同期軸の底端には上ベベルギヤが設置され、前記内主体の中には同期入力ベベルギヤが設置され、前記同期入力ベベルギヤが前記内主体の中の前記伝動軸の末端と固定的に連結され、前記内主体の中には同期入力軸が回転できるように設置され、前記同期入力軸の左端には出力ベベルギヤが固定的に設置され、前記同期入力軸の右端には下ベベルギヤが固定的に設置され、前記モータの回転により、内主体はまず上昇し、下ベベルギヤを上昇させて上ベベルギヤと噛み合わせ、結果として、地面と垂直方向の前記伝導軸は回転し、複数の地面と水平方向の展示主軸を連動させて回転させ、やがて複数の展示板は地面と水平方向の軸に沿って起立するように回転する。
【発明の効果】
【００１０】
本発明の有益効果は：本発明は構成が簡単で、操作が便利で、当該設備は所要のスペースが小さく、収納できるアクセサリーの数が多く、空間の利用率が高く、且つ収納機能と展示機能を有し、人でアクセサリーを一々取り出して収納する必要はなく、店員の労働強度を軽減し、商店の営業効率を向上させ、そのため、当該設備は高い使用価値と普及する価値を有する。
【図面の簡単な説明】
【００１１】
本発明の実施例または従来技術における技術プランをもっとはっきり説明するために、以下は実施例または従来技術を説明する時に必要な付図を簡単に紹介する。  
【００１２】
本発明の説明には、理解する必要があるのは、専門用語の「中心」、「縦」、「横」、「長さ」、「幅」、「厚み」、「上」、「下」、「前」、「後」、「左」、「右」、「縦」、「水平」、「頂」、「底」、「内」、「外」、「時計回り」、「反時計回り」などが指示する方位または位置関係は図１に基づいて示す方位または位置関係である。本発明を説明しやすいためだけで、デバイスやコンポが特定の方位を必ず有し、特定の方位で構成と操作されることを指示するわけではないので、本発明に対しての制限と理解してはいけない。
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明のアクセサリー展示収納ボックスの全体構成模式図
【図２】図２は図１のＡの構成模式図
【図３】図３は図１のＢの構成模式図
【図４】図４は図１の展示装置の展示状態の模式図
【発明を実施するための形態】
【００１５】
本発明書に開示した全ての特徴、或いは開示した全ての方法、過程中のステップは、互いに排斥する特徴或いはステップ以外に、いかなる方式で組み合わせることができる。
【００１６】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１７】
図１〜４に示すように、本発明の実施例のアクセサリー展示収納ボックスは、外主体１１を含み、前記外主体１１の中には収納チャンバ６４が設置され、前記収納チャンバ６４の中には内主体１２がスライドできるように設置され、前記外主体１１の中には縦方向に八組、円周方向に十六組の展示チャンバ１９が設置され、前記内主体１２の中には縦方向に八組、円周方向に四組の前記展示チャンバ１９が設置され、前記外主体１１と前記内主体１２とに設置された前記展示チャンバ１９は同じ内部構成を有し、前記展示チャンバ１９の中には固定ベース２７が設置され、前記固定ベース２７の頂端には展示装置１００が設置され、前記固定ベース２７の中にはリミットチャンバ３４が設置され、  前記リミットチャンバ３４の中にはリミット装置３００が設置され、前記外主体１１の中には動力チャンバ５７が設置され、前記動力チャンバ５７の中には伝動装置４００が設置され、前記動力チャンバ５７の中には収納装置２００が設置され、前記動力チャンバ５７の中には駆動機構が設置され、前記駆動機構は主軸５６及びモータ１８を含み、前記モータ１８が前記動力チャンバ５７の片側壁の中に固定的に設置され、前記主軸５６が前記動力チャンバ５７の中に回転できるように設置され、前記主軸５６の一端が前記モータ１８と動力が伝達できるように連結され、前記主軸５６のもう一端にはメインベベルギヤ５５が固定的に設置され、前記駆動機構が前記伝動装置を連動させて回転させ、更に前記展示装置を連動させて回転させる。
【００１８】
有益的には、前記収納装置２００は前記動力チャンバ５７の中に設置されているネジロッド１３を含み、前記ネジロッド１３が前記内主体１２と連結され、前記ネジロッド１３の底端にはサブプーリ１４が固定的に設置され、前記動力チャンバ５７の中には収納軸５３が回転できるように設置され、前記収納軸５３の底端にはメインプーリ１７が固定的に設置され、前記メインプーリ１７と前記サブプーリ１４との間には収納ベルト１５が設置され、前記収納軸５３の頂端には収納ベベルギヤ５４が固定的に設置されている。
【００１９】
有益的には、前記展示装置１００は前記固定ベース２７に設置されている展示ベース２２を含み、前記展示ベース２２には展示板２１が回転できるように設置され、前記展示ベース２２の中には反転チャンバ２４が設置され、前記反転チャンバ２４の中には前記展示板２１とヒンジにより連結されている展示スライダ２３が設置され、前記展示スライダ２３と前記反転チャンバ２４との間には第一ばね２５が弾性を持つように設置され、前記反転チャンバ２４の中には展示軸４１が回転できるように設置され、前記展示軸４１にはメインリール３７が固定的に設置され、前記メインリール３７と前記展示スライダ２３とが伝動縄により連結され、前記固定ベース２７の中には展示動力チャンバ３８が設置され、前記展示動力チャンバ３８の中には前記展示軸４１とスプラインにより連結されている展示中心軸３９が回転できるように設置され、前記展示中心軸３９の底端には展示サブベベルギヤ４０が固定的に設置されている。
【００２０】
有益的には、前記リミット装置３００は、前記リミットチャンバ３４の中にスライドできるように設置され、且つ前記展示スライダ２３のスライドを制限する引っ掛かりブロック２８を含み、前記引っ掛かりブロック２８と前記リミットチャンバ３４との間には第二ばね３０が弾性を持つように設置され、前記リミットチャンバ３４の中にはリミット軸３１が設置され、前記リミット軸３１の後端にはリミットギヤ３２が設置され、前記リミット軸３１の前端にはリミットサブベベルギヤ３３が設置され、前記リミットチャンバ３４の中には展示主軸４２が設置され、前記展示主軸４２の左端には前記リミットサブベベルギヤ３３と噛み合っている左ベベルギヤ３５が設置され、前記展示主軸４２の外壁には前記展示動力チャンバ３８の中に位置している展示メインベベルギヤ３６が設置され、前記展示動力チャンバ３８の片側の壁の中には伝動チャンバ４６が設置され、前記展示主軸４２の右端には前記伝動チャンバ４６の中に位置している右ベベルギヤ４３が設置され、前記伝動チャンバ４６の中には総合ベベルギヤ４４が回転できるように設置されている。
【００２１】
有益的には、前記伝動装置４００は前記動力チャンバ５７の中に回転できるように設置されている回転軸７２を含み、前記回転軸７２の右端にはサブリール７１が固定的に設置され、前記回転軸７２の左端にはウォーム７３が固定的に設置され、前記サブリール７１と前記内主体１２とが伝動縄により連結され、前記動力チャンバ５７の中にはメイン回転軸７６が設置され、前記メイン回転軸７６の後端にはウォームホイール７４が設置され、前記メイン回転軸７６の前端には下プーリ７５が設置され、前記動力チャンバ５７の中にはサブ回転軸８０が設置され、前記サブ回転軸８０の前端には上プーリ７９が設置され、前記上プーリ７９と前記下プーリ７５との間には延伸ベルト７７が設置され、前記サブ回転軸８０の後端にはカム７８が設置され、前記動力チャンバ５７の中には伝動スリーブ軸８１がスライドできるように設置され、前記伝動スリーブ軸８１の外壁には下ギヤ６１が設置され、前記動力チャンバ５７の中には延伸軸５９が設置され、前記延伸軸５９の底端には伝動ベベルギヤ５８が固定的に設置され、前記延伸軸５９の頂端にはメインギヤ６０が固定的に設置され、前記伝動チャンバ４６の中には伝動軸４７が設置され、前記伝動軸４７の表面には上ギヤ４５が固定的に設置され、前記伝動軸４７と前記伝動スリーブ軸８１とがスプラインにより連結され、前記伝動軸４７の頂端には左プーリ５２が固定的に設置され、前記収納チャンバ６４の中には同期軸４９が設置され、前記同期軸４９の頂端には右プーリ５０が設置され、前記右プーリ５０と前記左プーリ５２との間には同期ベルト５１が設置され、前記同期軸４９の底端には上ベベルギヤ４８が設置され、前記内主体１２の中には同期入力ベベルギヤ６５が設置され、前記同期入力ベベルギヤ６５が前記内主体１２の中の前記伝動軸４７の末端と固定的に連結され、前記内主体１２の中には同期入力軸６３が回転できるように設置され、前記同期入力軸６３の左端には出力ベベルギヤ６６が固定的に設置され、前記同期入力軸６３の右端には下ベベルギヤ６２が固定的に設置され、前記モータ１８の回転により、内主体１２はまず上昇し、下ベベルギヤを６２上昇させて上ベベルギヤ４８と噛み合わせ、結果として、地面と垂直方向の前記伝動軸４７は回転し、複数の地面と水平方向の展示主軸４２を連動させて回転させ、やがて複数の展示板２１は地面と水平方向の軸に沿って起立するように回転する。
【００２２】
当設備を使用する時、モータ１８が作動し始め、更に主軸５６を連動させて回転させ、またメインベベルギヤ５５を連動させて回転させ、メインベベルギヤ５５が収納ベベルギヤ５４を連動させて回転させ、更に順に収納ベベルギヤ５４と、収納軸５３と、メインプーリ１７と、サブプーリ１４とによりネジロッド１３を連動させて回転させ、更に内主体１２を連動させて上方へスライドさせ、更にサブリール７１と、回転軸７２と、ウォーム７３と、ウォームホイール７４と、メイン回転軸７６と、下プーリ７５と、上プーリ７９と、サブ回転軸８０とによりカム７８を連動させて回転させ、内主体１２が一番頂端までスライドする時、下ベベルギヤ６２が上ベベルギヤ４８と噛み合い、カム７８が伝動スリーブ軸８１により下ギヤ６１を連動させて上方へスライドさせ、下ギヤ６１がメインギヤ６０と噛み合い、メインベベルギヤ５５が伝動ベベルギヤ５８と、延伸軸５９と、メインギヤ６０と、下ギヤ６１と、伝動スリーブ軸８１と、伝動軸４７と、上ギヤ４５とにより総合ベベルギヤ４４を連動させて回転させ、更に右ベベルギヤ４３と、展示主軸４２と、展示メインベベルギヤ３６と、展示サブベベルギヤ４０と、展示中心軸３９と、展示軸４１とによりメインリール３７を連動させて回転させ、更に展示スライダ２３を連動させて回転させ、更に展示板２１をを連動させて回転させ、展示スライダ２３が引っ掛かりブロック２８を止め、アクセサリーを展示し、同時に、伝動軸４７が左プーリ５２と、右プーリ５０と、同期軸４９と、上ベベルギヤ４８と、下ベベルギヤ６２と、同期入力軸６３と、出力ベベルギヤ６６と、同期入力ベベルギヤ６５とにより内主体１２の中の伝動軸４７を連動させて回転させ、アクセサリーを収納する時、モータ１８が逆方向へ作動し、内主体１２が下方へスライドし、アクセサリーを設備の中に収納する。
【００２３】
本発明の有益効果は：本発明は構成が簡単で、操作が便利で、当該設備は所要のスペースが小さく、収納できるアクセサリーの数が多く、空間の利用率が高く、且つ収納機能と展示機能を有し、人でアクセサリーを一々取り出して収納する必要はなく、店員の労働強度を軽減し、商店の営業効率を向上させ、そのため、当該設備は高い使用価値と普及する価値を有する。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。